(57)【要約】【課題】ベーゴマ本体の製造コストが上昇することを抑制しつつ、ベーゴマ本体に対して安定的且つ堅固に紐を巻き付けることができるとともに、不慣れなユーザであってもベーゴマ本体を容易に回すことが可能なベーゴマを提供する。【解決手段】ベーゴマ１は、ベーゴマ本体２と、治具４と、紐３と、治具４が底部５に装着された状態で治具４からベーゴマ本体２の軸線に沿って突出形成される巻き付け補助部２１と、ベーゴマ本体２と治具４との何れか一方に係合凹部１２を有するとともに、何れか他方に係合凹部１２に係合可能な係合凸部１８を有し、係合凹部１２と係合凸部１８とを係合させることでベーゴマ本体２に対して紐３を巻き付ける方向への治具４の相対回転を規制する一方で、ベーゴマ本体２に対して紐３を巻き付ける方向とは反対方向への治具４の相対回転を許容する係合機構と、を備える。【選択図】図１
2016064029.tif 000002
【特許請求の範囲】
【請求項１】
円錐状の底部を有するベーゴマ本体と、
前記底部に対して着脱可能とされる治具と、
前記治具に一方の端部が固定され、前記治具を介して前記ベーゴマ本体の底部に巻き付け可能な紐と、
前記治具が前記底部に装着された状態で前記治具から前記ベーゴマ本体の軸線に沿って突出形成される巻き付け補助部と、
前記ベーゴマ本体と前記治具との何れか一方に係合凹部を有するとともに、何れか他方に前記係合凹部に係合可能な係合凸部を有し、前記係合凹部と前記係合凸部とを係合させることで前記ベーゴマ本体に対して前記紐を巻き付ける方向への前記治具の相対回転を規制する一方で、前記ベーゴマ本体に対して前記紐を巻き付ける方向とは反対方向への前記治具の相対回転を許容する係合機構と、を備えるベーゴマ。
【請求項２】
前記治具は、
前記ベーゴマ本体よりも相対的に密度が低い材料で形成されている請求項１に記載のベーゴマ。
【請求項３】
前記ベーゴマ本体に設けられる前記係合凹部および前記係合凸部の何れか一方は、周方向で前記紐を巻き付ける方向とは反対側を向く第一係止面を備え、
前記治具に形成される前記係合凹部および前記係合凸部のうち何れか他方は、周方向で前記紐を巻き付ける方向を向き、前記第一係止面と対向する第二係止面を備える請求項１又は２に記載のベーゴマ。
【請求項４】
前記第一係止面、および、前記第二係止面は、前記ベーゴマ本体の軸線周りに等間隔で複数設けられている請求項３に記載のベーゴマ。
【請求項５】
前記第一係止面、および、前記第二係止面は、径方向外側に向かって延びるように形成され、
前記係合機構は、
前記第一係止面の径方向内側の端部と、この第一係止面に対して前記紐を巻き付ける方向で隣り合う第一係止面の径方向外側の端部とを繋ぐ第一傾斜面と、
前記第二係止面の径方向内側の端部と、この第二係止面に対して前記紐を巻き付ける方向で隣り合う第一係止面の径方向外側の端部とを繋ぐ第二傾斜面と、を備える請求項４に記載のベーゴマ。
【請求項６】
前記巻き付け補助部は、前記ベーゴマ本体の軸線周りに等間隔で複数設けられている請求項１から５の何れか一項に記載のベーゴマ。
【請求項７】
複数の前記巻き付け補助部のうち何れか一つは、前記紐の先端を固定する紐固定部を兼ねる請求項６に記載のベーゴマ。
【発明の詳細な説明】
【技術分野】
【０００１】
この発明は、ベーゴマに関する。
【背景技術】
【０００２】
鋳鉄等により円錐状に形成されるいわゆるベーゴマは、ベーゴマ本体の上面ならびに底面に棒状の軸が突出していない。このベーゴマ本体に対する最も一般的な紐の巻き方としては、まず紐に対して先端を数センチ余らせた位置に数ｃｍ程度離した２つの結び目を形成する。さらに、紐の先端部分をベーゴマ本体の上面に配置して動かないように手で押さえ付ける。次いで、上述した２つの結び目がベーゴマ本体の頂部を挟んで対称位置となるように、紐を頂部に跨らせる。その後、これら２つの結び目の外周側に引っ掛けるようにしてベーゴマ本体の底面に沿って内周から外周に向かって紐を順次巻き付ける。
【０００３】
上述したベーゴマは、ベーゴマ本体の大きさが非常に小さい。また、上述したようにベーゴマ本体に紐を巻き付けようとすると、円錐部分や外周部分で紐が滑ってベーゴマ本体から紐が外れ易い。そのため、ベーゴマ本体を回転させるためには熟練を要してしまうという課題があった。
【０００４】
そこで、特許文献１には、ベーゴマ本体の外周部分に紐を巻き付けるための溝を設けて、容易且つ堅固に紐を巻き付けることが可能なベーゴマが提案されている。
【先行技術文献】
【特許文献】
【０００５】
【特許文献１】実用新案登録第３０８７６９０号公報
【発明の概要】
【発明が解決しようとする課題】
【０００６】
しかしながら、上述した特許文献１のベーゴマは、ベーゴマ本体の外周部分に溝を設けているため、溝の幅を確保する分だけ重心が高くなり、対戦相手のベーゴマ本体と衝突した際にはじき飛ばされるなど不利になる場合がある。
また、特許文献１のベーゴマは、外周部分に溝を設けているため、鋳造工程が複雑化してベーゴマ本体の製造コストが上昇する可能性がある。
この発明は、上記事情に鑑みてなされたものであり、ベーゴマ本体の製造コストが上昇することを抑制しつつ、ベーゴマ本体に対して堅固に紐を巻き付けることができるとともに、ベーゴマ本体を容易に回すことが可能なベーゴマを提供することを目的とする。
【課題を解決するための手段】
【０００７】
この発明の第一の態様によれば、ベーゴマは、円錐状の底部を有するベーゴマ本体と、
前記底部に対して着脱可能とされる治具と、前記治具に一方の端部が固定され、前記治具を介して前記ベーゴマ本体の底部に巻き付け可能な紐と、前記治具が前記底部に装着された状態で前記治具から前記ベーゴマ本体の軸線に沿って突出形成される巻き付け補助部と、前記ベーゴマ本体と前記治具との何れか一方に係合凹部を有するとともに、何れか他方に前記係合凹部に係合可能な係合凸部を有し、前記係合凹部と前記係合凸部とを係合させることで前記ベーゴマ本体に対して前記紐を巻き付ける方向への前記治具の相対回転を規制する一方で、前記ベーゴマ本体に対して前記紐を巻き付ける方向とは反対方向への前記治具の相対回転を許容する係合機構と、を備える。
このように構成することで、ベーゴマ本体に治具を装着すると同時に係合凸部と係合凹部とを係合させて、巻き付け補助部を中心にして紐をベーゴマ本体の底部に巻き付けることができる。巻き付け補助部を中心にして紐を巻き付ける際に、係合機構によって紐を巻く方向へのベーゴマ本体に対する治具の相対回転が規制されるため、紐の巻き付けを安定して行うことができる。更に、紐を引いてベーゴマ本体を回転させる際には、係合機構によって治具がベーゴマ本体を回転方向に押すことができる。また、ベーゴマ本体の底部に対する治具の位置決めを正確に行うことができるため、紐を巻き付ける巻き付け中心と、ベーゴマ本体の回転軸とがずれてしまうことを抑制することができる。そのため、紐を引く力を効率よくベーゴマ本体に伝達することができ、ベーゴマ本体に強い回転を付与することができる。さらに、巻き付け中心と回転軸とのずれを抑制できることで、ベーゴマ本体を水平にリリースし易くなる。
また、紐を引き終わった際には、紐の端部が固定された治具の回転が止まり、ベーゴマ本体が慣性により回転を継続しようとするが、係合機構によって紐を巻き付ける方向とは反対方向への治具の相対回転が許容されていることで、ベーゴマ本体の回転が治具によって阻害されることを低減できる。さらに、ベーゴマ本体の底部に対して係合凹部又は係合凸部を形成するだけで良いため、ベーゴマ本体の製造工程増加を抑制できる。
その結果、ベーゴマ本体の製造コストが上昇することを抑制しつつ、ベーゴマ本体に対して安定的且つ堅固に紐を巻き付け可能であるとともに、不慣れなユーザであってもベーゴマ本体を容易に回すことが可能となる。
【０００８】
この発明の第二の態様によれば、ベーゴマは、第一の態様における前記治具が、前記ベーゴマ本体よりも相対的に密度が低い材料で形成されていてもよい。
このように構成することで、ベーゴマ本体を回転させるために巻き付けた紐を引っ張ったときに、治具の慣性がベーゴマ本体の慣性よりも小さいことで、治具がベーゴマ本体よりも速く回転しようとするため、係合機構による係合をより強固なものとすることができる。その結果、紐を引く際に係合凹部から係合凸部が外れて、紐を引き終わる前に治具がベーゴマ本体から外れてしまうことを抑制できる。
【０００９】
この発明の第三の態様によれば、ベーゴマは、第一又は第二の態様において、前記ベーゴマ本体に設けられる前記係合凹部および前記係合凸部の何れか一方が、周方向で前記紐を巻き付ける方向とは反対側を向く第一係止面を備え、前記治具に形成される前記係合凹部および前記係合凸部のうち何れか他方は、周方向で前記紐を巻き付ける方向を向き、前記第一係止面と対向する第二係止面を備えていてもよい。
このように構成することで、紐を巻き付ける際、および、紐を引く際に、第二係止面によって第一係止面を周方向で押圧することができる。一方で、紐を引き終わる際には、第一係止面から第二係止面を周方向に離間させる。その結果、係合機構が複雑化することを抑制して、製造コストの増加を抑制できる。
【００１０】
この発明の第四の態様によれば、ベーゴマは、第三の態様における前記第一係止面、および、前記第二係止面が、前記ベーゴマ本体の軸線周りに等間隔で複数設けられていてもよい。
このように構成することで、ベーゴマ本体を回転させるべく紐を引っ張ったときに、ベーゴマ本体の軸線周りの複数箇所に対して均一に力を付与することができるため、ベーゴマ本体の姿勢が乱れることを抑制できる。
【００１１】
この発明の第五の態様によれば、ベーゴマは、第四の態様における前記第一係止面、および、前記第二係止面が、径方向外側に向かって延びるように形成され、前記係合機構が、前記第一係止面の径方向内側の端部と、この第一係止面に対して前記紐を巻き付ける方向で隣り合う第一係止面の径方向外側の端部とを繋ぐ第一傾斜面と、前記第二係止面の径方向内側の端部と、この第二係止面に対して前記紐を巻き付ける方向で隣り合う第一係止面の径方向外側の端部とを繋ぐ第二傾斜面と、を備えていてもよい。
このように構成することで、紐を引き終わり、ベーゴマ本体に対して紐を巻き付ける方向と反対側に治具が相対回転しようとしたときに、第一傾斜面が第二傾斜面に案内されて、治具をベーゴマ本体から円滑に離脱させることができる。その結果、治具がベーゴマ本体の回転を阻害することを抑制できる。
【００１２】
この発明の第六の態様によれば、ベーゴマは、第一から第五の態様の何れか一つの態様における前記巻き付け補助部が、前記ベーゴマ本体の軸線周りに等間隔で複数設けられていてもよい。
このように構成することで、紐を、周方向で隣り合う巻き付け補助部同士の間を通るように径方向に横切らせた後に、複数の巻き付け補助部に対して軸線周りに巻き始めることができる。そのため、巻き付け補助部同士の間を通って軸線周りに巻き始める際に、紐が屈曲されるため、紐と巻き付け補助部との間の摩擦力が増加し、巻き付け補助部に対する紐の滑りを低減できる。その結果、巻き付け補助部に対して紐を容易に巻き付けることが可能となる。
【００１３】
この発明の第七の態様によれば、ベーゴマは、第六の態様において、複数の前記巻き付け補助部のうち何れか一つが、前記紐の先端を固定する紐固定部を兼ねていてもよい。
このように構成することで、紐を固定する専用の突起を別途形成する場合よりも、治具の形状を単純化することができるとともに、周方向における治具の重量バランスを均一化させることができる。その結果、治具をベーゴマ本体に対してより安定した状態で装着できる。
【発明の効果】
【００１４】
上記ベーゴマによれば、ベーゴマ本体の製造コストが上昇することを抑制しつつ、ベーゴマ本体に対して安定的且つ堅固に紐を巻き付けることができるとともに、不慣れなユーザであってもベーゴマ本体を容易に回すことが可能となる。
【図面の簡単な説明】
【００１５】
【図１】この発明の実施形態におけるベーゴマの全体構成を示す斜視図である。
【図２】この発明の実施形態におけるベーゴマ本体の側面図であって、紐を巻き付ける前の状態を示している。
【図３】この発明の実施形態におけるベーゴマの斜視図であって、ベーゴマ本体に治具を装着した状態を示している。
【図４】この発明の実施形態におけるベーゴマの斜視図であって、ベーゴマ本体の径方向に紐を巻き回した状態を示している。
【図５】この発明の実施形態におけるベーゴマの斜視図であって、ベーゴマ本体に対して紐を巻き付け終えた状態を示している。
【発明を実施するための形態】
【００１６】
以下、この発明の一実施形態に係るベーゴマを図面に基づき説明する。
図１は、この発明の実施形態におけるベーゴマの全体構成を示す斜視図である。図２は、この発明の実施形態におけるベーゴマ本体の側面図であって、紐を巻き付ける前の状態を示している。
【００１７】
図１、図２に示すように、この実施形態におけるベーゴマ１は、ベーゴマ本体２と、紐３と、治具４とを備えている。
ベーゴマ本体２は、鋳鉄により形成されている。このベーゴマ本体２は、略円錐状に形成された底面部５と、回転軸Ｏ１と直交する方向に向かって延びる上面部６と、を備えている。また、この実施形態におけるベーゴマ本体２は、上面部６と底面部５との間に、六角形や八角形などの多角形柱状の周面部７を備えている。この実施形態のベーゴマ本体２は、周面部７と上面部６との間に、回転軸Ｏ１側に向かって傾斜するとともに、回転軸Ｏ１に直交する断面が周面部７の断面と同じ角数の多角形状をなす傾斜面７ａが形成されている。
【００１８】
底面部５は、治具４が装着される装着部１０を備えている。この装着部１０は、回転軸Ｏ１方向で上面部６側に配される上部底面部５ａよりも直径の小さい円錐状に形成されている。この円錐状をなす装着部１０の頂部８は、ベーゴマ本体２の回転軸Ｏ１上に配されている。上記装着部１０と上部底面部５ａとの間には、互いの円錐の直径の差により段差１１が形成されている。
【００１９】
この段差１１は、係合凹部１２を備えている。係合凹部１２は、周面部７側に向かって凹むように形成されている。この実施形態における係合凹部１２は、回転軸Ｏ１周りに等間隔で複数より具体的には、四つ形成されている。つまり、この実施形態における係合凹部１２は、互いに９０度ずつ周方向にずれた位置に形成されている。これら係合凹部１２は、それぞれ第一係止面１３と、第一傾斜面１４とを備えている。
【００２０】
第一係止面１３は、回転軸Ｏ１の径方向外側に向かって延びるとともに、紐３が巻き付けられる巻き付け方向（図１中、矢印で示す）と反対方向を向くように形成されている。
第一傾斜面１４は、第一係止面１３の径方向内側（言い換えれば、頂部８側）の内周側端部１３ａと、この第一係止面１３に対して紐３の巻き付け方向で隣り合う第一係止面１３の径方向外側の外周側端部１３ｂとを繋いでいる。この実施形態における第一傾斜面１４は、頂部８側に向かって凹状となるように緩やかに湾曲している。
【００２１】
紐３は、いわゆる「べーひも」と称されるものであって、滑り防止のために木綿等のより紐で形成されている。ベーゴマ本体２が一般的なコマよりも非常に小さいことから、紐３は、一般的なコマで使用される紐よりも十分に細いものが使用される。この紐３は、一方の先端が治具４に対して固定される。
【００２２】
治具４は、上述したベーゴマ本体２の装着部１０に対して着脱可能とされる。この治具４は、装着部１０に回転軸Ｏ１方向から嵌め合わせることでベーゴマ本体２に装着される。この実施形態における治具４は、ベーゴマ本体２を形成する鋳鉄よりも密度の低い樹脂により形成されている。
【００２３】
治具４は、治具本体部１７と、巻き付け補助部２１とを備えている。治具本体部１７は、装着部１０の円錐状の面に対向する円錐状の内面（図示せず）を有している。さらに、治具本体部１７は、その中心に孔２３を有している。この孔２３は、治具本体部１７を装着部１０に嵌め合わせたときに、頂部８の先端が入り込み、装着部１０の中心と、治具本体部１７の中心との位置合わせを行うことが可能となっている。
【００２４】
治具本体部１７は、その外周に、係合凸部１８を備えている。係合凸部１８は、上述した係合凹部１２に対して没入可能となっており、周方向に複数設けられて、それぞれ等間隔で配されている。係合凸部１８は、上述した装着部１０の係合凹部１２に対して係合可能となっている。係合凸部１８は、第二係止面１９と、第二傾斜面２０と、を備えている。第二係止面１９は、回転軸Ｏ１の径方向外側に向かって延びるとともに、紐３の巻き付け方向を向くように形成されている。この第二係止面１９は、上述した第一係止面１３と対向する。
【００２５】
第二傾斜面２０は、第二係止面１９の径方向内側の内周側端部１９ａと、この第二係止面１９に対して紐３の巻き付け方向で隣り合う第二係止面１９の径方向外側の外周側端部１９ｂとを繋いでいる。この実施形態における第二傾斜面２０は、第一傾斜面１４とは逆に、外周側に向かって凸状となるように緩やかに湾曲している。ここで、言い換えれば、第二係止面１９の内周側端部１９ａは、治具４が装着部１０に装着された状態で、第二係止面１９における最も頂部８側となる端部であり、第一係止面１３の外周側端部１９ｂは、第一係止面１３における最も周面部７側の端部である。上述した係合凹部１２、および、係合凸部１８によってこの発明の係合機構が構成されている。
【００２６】
上述した係合機構によれば、治具４が装着部１０に装着された状態において、例えば、ベーゴマ本体２に対して治具４が紐３の巻き付け方向（図中矢印で示す）に相対的に回転しようとした場合、ベーゴマ本体２の第一係止面１３に、治具４の第二係止面１９が突き当たり、ベーゴマ本体２に対する治具４の相対回転が規制される。一方で、ベーゴマ本体２に対して治具４が紐３の巻き付け方向と反対方向に相対回転しようとした場合、治具４の第二傾斜面２０が、ベーゴマ本体２の第一傾斜面１４に案内される。そのため、第二傾斜面２０が第一傾斜面１４に沿って移動しようとすることで装着部１０内での行き場を失い、治具４がベーゴマ本体２から離間する方向に変位して、治具４が装着部１０から離脱することとなる。
【００２７】
巻き付け補助部２１は、孔２３の周りに複数より具体的には、四つ設けられている。これら巻き付け補助部２１は、それぞれ、治具本体部１７から回転軸Ｏ１に沿って突出している。これら巻き付け補助部２１の長さは、紐３の直径よりも僅かに長く形成されている。このように巻き付け補助部２１の長さが設定されることで、紐３を巻き付けた際に、巻き付け補助部２１から紐３が外れることを抑制することができる。複数の巻き付け補助部２１の内、何れか一つには、巻き付け補助部２１の径方向に貫通する取付孔２４が形成されている。この取付孔２４には、紐３の端部が挿通されて、例えば、ひと結び等により結ばれて固定されている。つまり、巻き付け補助部２１のうちの一つが紐３の先端を固定する紐固定部２５となっている。
【００２８】
次に、この実施形態のベーゴマ１の使用方法について図面を参照しながら説明する。
図３は、この発明の実施形態におけるベーゴマの斜視図であって、ベーゴマ本体に治具を装着した状態を示している。図４は、この発明の実施形態におけるベーゴマの斜視図であって、ベーゴマ本体の径方向に紐を巻き回した状態を示している。図５は、この発明の実施形態におけるベーゴマの斜視図であって、ベーゴマ本体に対して紐を巻き付け終えた状態を示している。
【００２９】
まず、図３に示すように、ベーゴマ本体２の装着部１０に対して、治具４を嵌め込む。この治具４を嵌め込んだ状態で、治具本体部１７は、上部底面部５ａの外面よりも僅かに外側に突出している。
【００３０】
次いで、図４に示すように、治具本体部１７に固定された紐３を紐固定部２５の直近の周面部７から上面部６に回り込ませる。さらに、紐３を周面部７から上面部６に回り込ませた位置とは回転軸Ｏ１を挟んで反対側となる位置で、紐３を、上面部６から周面部７側に回り込ませる。その後、紐３を、周方向で隣り合う複数の巻き付け補助部２１同士の間を通るように径方向に横切らせる。
【００３１】
次に、図５に示すように、紐３を複数の巻き付け補助部２１の周りに予め設定された方向に複数回巻き付ける。これにより紐３は、治具本体部１７の外面、および、上部底面部５ａの外面に沿って周面部７の近傍まで複数回巻き付けられた状態となり、ベーゴマ本体２を回転させる準備が完了する。
【００３２】
ここからユーザは、巻き付けられていない紐３の端部を片方の手の２本の指の根本で挟んで把持しつつ、紐３が巻き付けられた状態のベーゴマ本体２や、巻き付けられた紐３を他の指先で把持した状態で前後や左右に素早く動かしながら、ベーゴマ本体２や巻き付けられた紐３から指先を離す。
【００３３】
ベーゴマ本体２が手から離れると、相対的に紐３が引っ張られることとなる。これにより、紐３とベーゴマ本体２との摩擦により、紐３の引っ張り力がベーゴマ本体２の回転力へと変換される。更に、紐３が引っ張られる力により治具４に回転力が付与されて、治具４が、紐３の巻き付け方向に回転しようとする。すると、係合凹部１２と係合凸部１８との係合により、治具４からベーゴマ本体２へと巻き付け方向への回転力が伝達される。この際、治具４の慣性が、ベーゴマ本体２の慣性よりも十分に小さいため、紐３を完全に引き終わるまで、第一係止面１３を第二係止面１９が押圧し続ける。
【００３４】
その後、紐３を完全に引き終ると、紐３が治具４に固定されていることから治具４の回転が停止する。この際、ベーゴマ本体２は、その慣性により回転を継続しようとする。そのため、治具４がベーゴマ本体２に対して、紐３の巻き付け方向とは反対方向に相対回転しようとし、治具４がベーゴマ本体２から離脱する。治具４から離脱したベーゴマ本体２は、例えば、バケツにシートを張った遊技台などの上に落下し、遊技台などの上でその慣性により回転を継続することとなる。
【００３５】
したがって、上述した実施形態のベーゴマ１によれば、ベーゴマ本体２に治具４を装着すると同時に係合凸部１８と係合凹部１２とを係合させて、巻き付け補助部２１を中心にして紐３をベーゴマ本体２の底面部５に巻き付けることができる。巻き付け補助部２１を中心にして紐３を巻き付ける際には、係合機構によって紐３を巻く方向へのベーゴマ本体２に対する治具４の相対回転が規制されるため、紐３の巻き付けを安定して行うことができる。更に、紐３を引いてベーゴマ本体２を回転させる際には、係合機構によって治具４がベーゴマ本体２を回転方向に押すことができる。また、ベーゴマ本体２の底面部５に対する治具４の位置決めを正確に行うことができるため、紐３を巻き付ける巻き付け中心と、ベーゴマ本体２の回転軸Ｏ１とがずれてしまうことを抑制することができる。そのため、紐３を引く力を効率よくベーゴマ本体２に伝達することができ、ベーゴマ本体２に強い回転を付与することができる。さらに、紐３の巻き付け中心と回転軸Ｏ１とのずれを抑制できることで、ベーゴマ本体２を水平にリリースし易くなり、不慣れなユーザであっても容易にベーゴマ本体２を回転させることができる。
【００３６】
また、紐３を引き終わった際には、紐３の端部が固定された治具４の回転が止まり、ベーゴマ本体２が慣性により回転を継続しようとするが、係合機構によって紐３を巻き付ける方向とは反対方向への治具４の相対回転が許容されていることで、ベーゴマ本体２の回転が治具４によって阻害されることを低減できる。さらに、ベーゴマ本体２の底面部５に対して係合凹部１２を段差１１として形成するだけでよいため、鋳造用の金型が複雑化して製造工程が増加することを抑制できる。
その結果、ベーゴマ本体２の製造コストが上昇することを抑制しつつ、ベーゴマ本体２に対して安定的且つ堅固に紐を巻き付け可能であるとともに、不慣れなユーザであってもベーゴマ本体２を容易に回すことが可能となる。
【００３７】
また、ベーゴマ本体２を回転させるために巻き付けた紐３を引っ張ったときに、治具４の慣性がベーゴマ本体２の慣性よりも小さいことで、治具４がベーゴマ本体２よりも速く回転しようとするため、係合機構による係合をより強固なものとすることができる。その結果、紐３を引く際に係合凹部１２から係合凸部１８が外れて、紐３を引き終わる前に治具４がベーゴマ本体２から外れてしまうことを抑制できる。
【００３８】
さらに、周方向で紐３を巻き付ける方向とは反対側を向く第一係止面１３と、周方向で紐３を巻き付ける方向を向き第一係止面１３と対向する第二係止面１９とを備えることで、紐３を巻き付ける際、および、紐３を引く際に、第一係止面１３を第二係止面１９により周方向で押圧することができる。一方で、紐３を引き終わる際には、第一係止面１３から第二係止面１９を周方向に離間させることができる。その結果、係合機構が複雑化することを抑制して、製造コストの増加を抑制できる。
【００３９】
また、第一係止面１３、および、第二係止面１９が、ベーゴマ本体２の回転軸Ｏ１周りに等間隔で複数設けられていることで、ベーゴマ本体２を回転させるべく紐３を引っ張ったときに、ベーゴマ本体２の回転軸Ｏ１周りの複数箇所に対して均一に力を付与することができる。そのため、ベーゴマ本体の姿勢が乱れることを抑制できる。
【００４０】
さらに、第一傾斜面１４と第二傾斜面２０とを備えていることで、紐３を引き終わり、ベーゴマ本体２に対して紐３を巻き付ける方向と反対側に治具４が相対回転しようとしたときに、第一傾斜面１４が第二傾斜面２０に案内されて、治具をベーゴマ本体から円滑に離脱させることができる。その結果、治具４がベーゴマ本体２の回転を阻害することを抑制できる。
【００４１】
また、巻き付け補助部２１が、ベーゴマ本体２の回転軸Ｏ１周りに等間隔で複数設けられていることで、紐３を、周方向で隣り合う巻き付け補助部２１同士の間を通るように径方向に横切らせた後に、複数の巻き付け補助部２１に対して回転軸Ｏ１周りに巻き始めることができる。そのため、巻き付け補助部２１同士の間を通って回転軸Ｏ１周りに巻き始める際に、紐３が屈曲されるため、紐３と巻き付け補助部２１との間の摩擦力が増加し、巻き付け補助部２１に対する紐３の滑りを低減できる。その結果、巻き付け補助部２１に対して紐３を容易に巻き付けることが可能となる。
【００４２】
さらに、複数の巻き付け補助部２１のうち一つが、紐３の先端を固定する紐固定部２５を兼ねているため、紐３を固定する専用の突起を別途形成する場合よりも、治具４の形状を単純化することができるとともに、周方向における治具４の重量バランスを均一化させることができる。その結果、治具４をベーゴマ本体２に対してより安定した状態で装着できる。
【００４３】
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００４４】
例えば、上述した実施形態においては、紐３を紐固定部２５に対して結んで固定する場合について説明した。しかし、紐３の固定方法は、結んで固定する方法に限られない。例えば、接着や溶着等、様々な方法で固定しても良い。
【００４５】
さらに、上述した実施形態においては、治具４が樹脂製である場合を例示した。しかし、治具４を形成する材料は樹脂に限られない。治具４は、ベーゴマ本体２よりも密度が低い材料で形成されていればよく、例えば、アルミニウム等の金属製や、木製であっても良い。
【００４６】
また、上述した実施形態においては、係合凹部１２がベーゴマ本体２に設けられ、係合凸部１８が治具４に設けられる場合について説明した。しかし、ベーゴマ本体２と治具４との凹凸関係を反対にして、例えば、ベーゴマ本体２に係合凸部を形成し、治具４に係合凹部を形成するようにしても良い。この場合、ベーゴマ本体２の係合凸部に、紐３を巻き付ける方向とは反対側を向く第一係止面１３を形成し、治具４の係合凹部に、紐３を巻き付ける方向を向く第二係止面１９を形成すればよい。
【００４７】
さらに、上述した実施形態においては、周方向にそれぞれ４つの係合凹部１２および４つの係合凸部１８を設ける場合について説明した。しかし、係合凹部１２および係合凸部１８を設ける個数は、４つに限られず、一つ以上形成されていればよい。
【００４８】
また、係合凹部１２および係合凸部１８は、上述した実施形態の形状に限られない。第一係止面１３と、この第一係止面１３を回転方向に押圧可能な第二係止面１９を備えていればよい。すなわち、係合凹部１２および係合凸部１８が頂部８から周面部７に向かう方向に凹凸する形状にも限られるものではない。例えば、回転軸Ｏ１に沿って係合凹部１２および係合凸部１８を凹凸させるようにしても良い。
【００４９】
また、上述した実施形態においては、治具４をベーゴマ本体２から円滑に離脱させるために第一傾斜面１４と第二傾斜面２０とを設ける場合について説明した。しかし、治具４をベーゴマ本体２から円滑に離脱させる構成は上述した構成に限られない。例えば、治具４における係合凸部１８の厚さが第二係止面１９から周方向に離れるに従って薄くなるように、治具４に傾斜面を設けるようにしても良い。
【００５０】
さらに、上述した実施形態においては、治具本体部１７の中心に孔２３が形成されている場合について説明したが、孔２３を省略しても良い。
【符号の説明】
【００５１】
１  ベーゴマ
２  ベーゴマ本体
３  紐
４  治具
５  底面部（底部）
５ａ  上部底面部
６  上面部
７  周面部
８  頂部
１０  装着部
１１  段差
１２  係合凹部
１３  第一係止面
１４  第一傾斜面
１３ａ  内周側端部
１３ｂ  外周側端部
１７  治具本体部
１８  係合凸部
１９  第二係止面
１９ａ  内周側端部
１９ｂ  外周側端部
２０  第二傾斜面
２１  巻き付け補助部
２２  内面
２３  孔
２４  取付孔
２５  紐固定部
Ｏ１  回転軸（軸線）
【図１】
2016064029.tif 000003
【図２】
2016064029.tif 000004
【図３】
2016064029.tif 000005
【図４】
2016064029.tif 000006
【図５】
2016064029.tif 000007